(57)【要約】  特定の住所に適合されたデータベース内の情報及び住所の現在の居住者に関連しない情報を記憶することによって、特定の住所の居住者との連絡のターゲット化を改善するための方法が開示されている。さらに、本方法を実施する及び本方法を自動的に行うデバイスが開示されている。また、本方法の実施形態の改善、及び本方法ならびに本デバイスの機能を向上させる追加特徴を伴う実施デバイスが開示されている。【選択図】  図２
2020505660.tif 000002
【特許請求の範囲】
【請求項１】
物理的住所に適合されたデータベースを使用するための方法であって、
ａ）複数の住所記録を有する住所データベースを作成することであって、各住所記録は複数の住所記録フィールドを有し、前記複数の住所記録フィールドの１つは一意の物理的住所場所を記憶することが可能である一意の物理場所フィールドである、前記作成することと、
ｂ）前記複数の住所記録を取得することであって、各住所記録は少なくとも２つのファクトを含み、前記少なくとも２つのファクトは一意の物理的住所に対応する一意の物理的住所識別子と、前記一意の物理的住所の非物理場所特性を記述する第２のファクトとを含む、前記取得することと、
ｃ）前記少なくとも２つのファクトが前記複数の住所記録フィールド内に記憶されるように、前記複数の住所記録を前記住所データベース内に記憶することであって、前記住所記録の前記一意の物理的住所識別子は、前記一意の物理場所フィールド内に記憶され、前記第２のファクトは前記複数の住所記録フィールドの他のもののいずれかに記憶される、前記記憶することと、
ｄ）前記一意の物理場所フィールドではない前記住所記録フィールドの少なくとも１つのコンテンツに基づいて、前記複数の住所記録の第１のサブセットを選択することと、
ｅ）ターゲット連絡が、受領者が前記複数の住所記録の前記第１のデータサブセットの１つの中に記憶される前記一意の物理的住所識別子の１つに対応する前記一意の物理的住所の１つに居住するかどうかによって判定される相対的場所関連レベルにおいて、複数の前記受領者に対してより高いレベルの場所関連性になるように、場所関連性を有する前記ターゲット連絡を作成することと、
ｆ）前記ターゲット連絡を、前記複数の住所記録の中の前記第１のデータサブセットに記憶される前記一意の物理的住所識別子に対応する前記一意の物理的住所の全てに送信することと、
を含む、方法。
【請求項２】
前記第２のファクトは、投票区識別子を含む、請求項１に記載の方法。
【請求項３】
前記第２のファクトは、学区識別子を含む、請求項１に記載の方法。
【請求項４】
前記第２のファクトは、住居種類識別子を含む、請求項１に記載の方法。
【請求項５】
前記複数の住所記録フィールドは、前記一意の物理的住所の居住者の名前を記憶しない、請求項１に記載の方法。
【請求項６】
前記複数の住所記録フィールドは、前記一意の物理的住所の居住者の名前を記憶しない、請求項２に記載の方法。
【請求項７】
前記複数の住所記録フィールドは、前記一意の物理的住所の居住者の名前を記憶しない、請求項３に記載の方法。
【請求項８】
前記複数の住所記録フィールドは、前記一意の物理的住所の居住者の名前を記憶しない、請求項４に記載の方法。
【請求項９】
物理的住所に適合されたデータベースを取得及び使用するための方法であって、
ａ）複数の住所記録を有する住所データベースを作成することであって、各住所記録は複数の住所記録フィールドを有し、前記複数の住所記録フィールドの１つ以上は、まとめて、一意の物理的住所場所を記憶することが可能である一意の物理場所フィールドグループを含む、前記作成することと、
ｂ）複数の住所記録を取得することであって、各住所記録は少なくとも２つのファクトを含み、前記少なくとも２つのファクトは一意の物理的住所に対応する一意の物理的住所識別子と、前記一意の物理的住所の非物理場所特性を記述する第２のファクトとを含む、前記取得することと、
ｃ）前記少なくとも２つのファクトが前記複数の住所記録フィールド内に記憶されるように、前記複数の住所記録を前記住所データベース内に記憶することであって、前記住所記録の前記一意の物理的住所識別子は、前記一意の物理場所フィールドグループ内に記憶され、前記第２のファクトは前記一意の物理場所フィールドグループの一部ではない前記複数の住所記録フィールドのいずれかに記憶される、前記記憶することと、
ｄ）複数の消費者記録を有する消費者データベースを作成することであって、各消費者記録は複数の消費者記録フィールドを有し、前記複数の消費者記録フィールドの１つ以上は、まとめて、一意の消費者住所場所を記憶することが可能である一意の消費者場所フィールドグループを含む、前記作成することと、
ｅ）複数の消費者記録を取得することであって、各消費者記録は少なくとも２つの消費者ファクトを含み、前記少なくとも２つの消費者ファクトは一意の消費者物理的住所に対応する一意の消費者住所識別子と、前記一意の消費者物理的住所の居住者の名前を記述する一意の消費者ファクトとを含む、前記取得することと、
ｆ）各消費者記録が前記複数の消費者記録フィールドの１つに記憶されるように及び前記少なくとも２つの消費者ファクトが前記複数の消費者記録フィールド内に記憶されるように、前記複数の消費者記録を前記消費者データベース内に記憶することであって、前記一意の消費者住所識別子は、前記一意の消費者場所フィールドグループ内に記憶され、前記一意の消費者ファクトは前記一意の場所フィールドグループの一部ではない前記複数の消費者記録フィールドのいずれかに記憶される、前記記憶することと、
ｇ）前記一意の消費者場所フィールドグループの一部ではない前記消費者記録フィールドの少なくとも１つのコンテンツに基づいて、前記複数の消費者記録の第１のサブセットを選択することと、
ｈ）前記一意の物理場所フィールドグループの一部ではない前記住所記録フィールドの前記少なくとも１つのコンテンツに基づいて、前記複数の住所記録の第１のサブセットを選択することと、
ｉ）前記一意の消費者場所フィールドグループの前記コンテンツが前記複数の住所記録の前記第１のサブセットの前記住所記録の１つに記憶される前記一意の場所フィールドグループの前記少なくとも１つのコンテンツに対応する、前記複数の消費者記録の前記第１のサブセットの全てを選択することによって出力データベースを作成し、そのように選択された前記消費者記録を前記出力データベース内に入れることと、
ｊ）ターゲット連絡が、受領者が前記複数の住所記録の前記第１のサブセットの１つに記憶される前記一意の物理的住所識別子の１つに対応する前記一意の物理的住所の１つに居住するかどうかによって判定される相対的場所関連レベルにおいて、複数の前記受領者に対してより高いレベルの場所関連性になるように、場所関連性を有する前記ターゲット連絡を作成することと、
ｋ）前記ターゲット連絡を、前記出力データベースに記憶される前記一意の消費者住所識別子に対応する前記一意の消費者物理的住所の全てに送信することと、
を含む、方法。
【請求項１０】
前記住所記録の前記第２のファクトは、投票区識別子を含む、請求項９に記載の方法。
【請求項１１】
前記住所記録の前記第２のファクトは、学区識別子を含む、請求項９に記載の方法。
【請求項１２】
前記住所記録の前記第２のファクトは、住居種類識別子を含む、請求項９に記載の方法。
【請求項１３】
住所に適合されたデータベースを使用するためのデバイスであって、
ａ）ＣＰＵ、ＲＡＭ及び／または持続的記憶デバイス、入力デバイス、及び視覚的ディスプレイを備えるデジタルコンピュータであって、前記ＲＡＭ及び／または前記持続的記憶デバイス、前記入力デバイス、及び前記視覚的ディスプレイは、前記ＣＰＵに動作可能に接続する、前記デジタルコンピュータと、
ｂ）前記ＲＡＭ及び／または前記持続的記憶デバイスに記憶される住所データベースであって、前記住所データベースは複数の住所記録から成るコンピュータファイルを含み、前記住所記録のそれぞれは複数の住所記録フィールドから成り、前記複数の住所記録フィールドの１つは一意の物理的住所場所を記憶することが可能である一意の物理場所フィールドである、前記住所データベースと、
ｃ）前記ＲＡＭ及び／または前記持続的記憶デバイスに記憶されるプログラムファイルであって、前記プログラムファイルは、前記ＣＰＵによって実行する命令のセットを含み、前記デジタルコンピュータに、
ｉ．前記住所データベースにアクセスすることと、
ｉｉ．ユーザから入力された選択を受信した後、前記一意の物理場所フィールドではない前記住所記録フィールドの少なくとも１つのコンテンツに基づいて、前記複数の住所記録の第１のサブセットを前記住所データベースから選択することと、
ｉｉｉ．ターゲット連絡が、受領者が前記複数の住所記録の前記第１のサブセットの１つに記憶される前記一意の物理的住所識別子の１つに対応する前記一意の物理的住所の１つに居住するかどうかによって判定される相対的場所関連レベルにおいて、複数の前記受領者に対してより高いレベルの場所関連性になるように、場所関連性を有する前記ターゲット連絡を作成すること、または前記ターゲット連絡にアクセスすることと、
ｉｖ．前記ターゲット連絡が前記複数の住所記録の前記第１のサブセットに記憶される前記一意の物理的住所識別子に対応する前記一意の物理的住所の全てに送信されることができるように、前記ターゲット連絡を出力することと、
の動作を行わせる、前記プログラムファイルと、
を備える、デバイス。
【請求項１４】
前記住所記録は、前記一意の住所場所の居住者に一意である情報を記憶しない、請求項１３に記載のデバイス。
【請求項１５】
住所に適合されたデータベースを使用するためのデバイスであって、
ａ）ＣＰＵ、ＲＡＭ及び／または持続的記憶デバイス、入力デバイス、及び視覚的ディスプレイを備えるデジタルコンピュータであって、前記ＲＡＭ及び／または前記持続的記憶デバイス、前記入力デバイス、及び前記視覚的ディスプレイは、前記ＣＰＵに動作可能に接続する、前記デジタルコンピュータと、
ｂ）前記ＲＡＭ及び／または前記持続的記憶デバイスに記憶される住所データベースであって、前記住所データベースは複数の住所記録から成るコンピュータファイルを含み、前記住所記録のそれぞれは複数の住所記録フィールドから成り、前記複数の住所記録フィールドの１つは一意の物理的住所場所を記憶することが可能である一意の物理場所フィールドである、前記住所データベースと、
ｃ）前記ＲＡＭ及び／または前記持続的記憶デバイスに記憶される消費者データベースであって、前記消費者データベースは複数の消費者記録から成るコンピュータファイルを含み、前記消費者記録のそれぞれは複数の消費者記録フィールドから成り、前記複数の消費者記録フィールドの１つは一意の消費者住所場所を記憶することが可能である一意の消費者場所フィールドである、前記消費者データベースと、
ｄ）前記ＲＡＭ及び／または前記持続的記憶デバイスに記憶されるプログラムファイルであって、前記プログラムファイルは、前記ＣＰＵによって実行する命令のセットを含み、前記デジタルコンピュータに、
ｉ．前記住所データベースにアクセスすることと、
ｉｉ．前記一意の物理場所フィールドの一部ではない前記住所記録フィールドの少なくとも１つのコンテンツに基づいて、前記複数の住所記録の第１のサブセットを前記住所データベースから選択することと、
ｉｉｉ．前記消費者データベースにアクセスすることと、
ｉｖ．前記一意の消費者場所フィールドの一部ではない前記消費者記録フィールドの前記少なくとも１つのコンテンツに基づいて、前記複数の消費者記録の第１のサブセットを前記消費者データベースから選択することと、
ｖ．前記一意の消費者場所フィールドの前記コンテンツが前記複数の住所記録の前記第１のサブセットの前記住所記録の少なくとも１つに記憶される前記一意の物理場所フィールドの前記コンテンツに対応する、前記複数の消費者記録の前記第１のサブセットの全てを選択することによって出力データベースを作成し、そのように選択された前記消費者記録を前記出力データベース内に入れることと、
ｖｉ．ターゲット連絡が、受領者が前記複数の住所記録の前記第１のサブセットの１つに記憶される前記一意の物理的住所識別子の１つに対応する前記一意の物理的住所の１つに居住するかどうかによって判定される相対的場所関連レベルにおいて、複数の前記受領者に対してより高いレベルの場所関連性になるように、場所関連性を有する前記ターゲット連絡を作成することと、
ｖｉｉ．前記ターゲット連絡が前記出力データベース内に記憶される各消費者記録に記憶される前記一意の消費者住所場所に送信されることができるように、前記ターゲット連絡を出力することと、
の動作を行わせる、前記プログラムファイルと、
を備える、デバイス。
【請求項１６】
前記住所記録は、前記一意の物理的住所場所の居住者に一意である情報を記憶しない、請求項１５に記載のデバイス。
【発明の詳細な説明】
【技術分野】
【０００１】
本発明は、データベース内の物理アドレスに関する情報を集める及び相関付けるための方法と、その住所の居住者への連絡をターゲット化する当該データベースを使用する方法とに関する。また、係るデータベースが、その住所に居住し得る個人についての情報を含有するデータベースと相関付けられる方法の改善が説明される。本発明は、本方法（複数可）を実施するデバイスに適用される。
【０００２】
関連出願の相互参照
本出願は、「ＩＭＰＲＯＶＥＤ  ＭＥＴＨＯＤ  ＡＮＤ  ＤＥＶＩＣＥ  ＦＯＲ  ＵＳＩＮＧ  ＤＡＴＡＢＡＳＥＳ  ＫＥＹＥＤ  ＴＯ  ＰＨＹＳＩＣＡＬ  ＡＤＤＲＥＳＳＥＳ」（米国特許商標局に提出された、出願日２０１６年１２月５日、特許文献１）と題された以前に出願された米国一般特許出願に対する優先権を主張し、当該出願は、同じ発明者の構成によって作成されるものであり、当該出願の全体は、本開示の一貫性を提供するために参照することによって本明細書に組み込まれる。
【背景技術】
【０００３】
本発明は、所与の居住住所または事業所住所の特徴に関する有用な情報及び関連情報を提供するデータベースの使用に関する。本出願の目的を果たすために、係る場所を一意に識別するための既知の方法及び一貫した方法を有する郵便業務、租税査定人、または他の事業体によって一意に識別することができる物理場所は、「アドレス」と称するものとする。特定のアドレスに関する一意の識別情報（米国のアドレスに関して、これは、一般的に、街路または私書箱番号、都市、州、及び郵便番号に４桁のコードを加えたものであるが、小包番号、小包説明、財産税識別番号、緯度及び経度情報、または任意の他の合理的な識別情報であり得る）は、当該アドレスに関する「（物理）場所情報」と称するものとする。特定のアドレスで生活する人もしくはビジネスを行う事業体、またはそれ以外の場合、特定のアドレスに居住するもしくはそれを使用する人もしくは事業体は、当該アドレスの「居住者」と称するものとする。アドレスは、１人以上の居住者が存在し得、人または事業体は、２つ以上のアドレスの居住者であり得る。
【０００４】
消費者人口情報及び基本的地理情報の記録（例えば、特定の近接地区を識別する郵便番号）を使用することは当技術分野で古く及び確立された技術であるが、係るデータベースは、係るアドレスの居住者だけに関連付けられる個人のアドレスについての過去に含有された特有及び特定の情報を有する。例えば、それは、直接情報によって、または特定のアドレスの居住者がスイミングプールを有するような消費者取引の観察によって分かり得る。しかし、過去に居住者がスイミングプールを有した事実が、アドレスではなく居住者に関連する情報として記憶されている。
【０００５】
この制限は、いくつかの不利点をもたらす。例えば、政治関連メールは、郵便番号のグループ分けにおいてターゲット化され得るが、選挙区を抽出する方法に起因して、同じ郵便番号のアドレスは、任意の特定の選挙の同じ投票区であり得る、または同じ投票区ではない場合がある一方、さらに、他の選挙では同じ投票区であり得る。任意の所与の郵便番号の建物は、また、事業所から、単一の住宅に、庁舎に、共同住宅等に変わり得る。これは、特定の関心がある投票者と連絡することを試みることを非効率にする、及び／または、その郵便番号をターゲット化するような特定の投票区では、居住者のアドレスが関心のある投票区ではない、または、特定の問題に関する居住者の関心がそのアドレスに関連付けられる特定の事情に起因して低くなるが、多くの居住者と連絡をもたらし得る。
【０００６】
さらに、これらの目的のために使用されるデータベースの他の慣習的形式は、個人に適合される。データベースが個人に適合される場合であるが、特定のアドレスの居住者がスイミングプールを有することと、個人の転居で、その個人がその新しいアドレスのものを有することが確認されない場合及び新しいアドレスのものを有することを確認するまで、スイミングプールに関する任意のターゲット連絡がその個人に送信されないことを確実にする措置をとる必要があることとは既知であり得る。新しい個人が当該アドレスに転居する場合、同様に、任意の係るデータベースへのその入力は、新しい居住者に関して更新されるまで、その個人が、その時点で、スイミングプールを有することを反映しないであろう。また、ある人が２つ以上のアドレスを有する居住者である場合、この方法でデータを体系化することで、情報が居住者に複数回送信されること、またはアドレスが任意の特定の目的のためにその人を連想させる適切なものであるかの混乱を生じさせることをもたらす可能性がある。
【０００７】
ある居住者について分かり得る、または分からない場合がある他のものとは関係なく、そのアドレスの居住者との関連連絡を提供するアドレスに適合されるデータベースの使用を可能にする方法及びデバイスは、有用な発明になるであろう。また、あるアドレスに起因する居住者に関連の少ない、または関連がない、居住者に行われる連絡回数を少なくする方法及びデバイスは、有用な発明になるであろう。さらに、あるアドレスの居住者との関連連絡を提供するために、そのアドレスの居住者でありえる個人に適合されるデータベース及びそのアドレスに適合されるデータベースを含む、複数のデータベースの相関付けを可能にする方法及びデバイスは、有用な発明になるであろう。
【先行技術文献】
【特許文献】
【０００８】
【特許文献１】米国特許出願公開第２０１５／３６９，４８７号明細書
【発明の概要】
【発明が解決しようとする課題】
【０００９】
本発明の多くの目的の中でも、特定のアドレスに関する情報の可用性の改善を提供するデータベースを取得するための方法が提供され、関連連絡が、それらのアドレスの居住者に、特定の居住者についてのさらなる不在情報を送信することを可能にする。
【００１０】
本発明の第２の目的は、複数のデータベース内の情報の取得及び相関付けを可能にする方法であり、データベースの１つは、情報の取得及び相関付けの両方が有用であるが、組み合わせられたとき、データベースの実用性の新しい発展及び新規の発展をもたらすような方法で、特定のアドレスに適合された情報を含有する。
【００１１】
本発明の別の目的は、上記に説明された方法を実施するデバイスの提供である。本発明のこれらの目的及び他の目的（全体として、他の目的が本明細書及び図面を検討することによって明らかになる）は、本方法を提供することによって及びデバイスを具体化することによって満たされる。
【課題を解決するための手段】
【００１２】
本発明の目的は、さらに、２つの別個のデータベース内の情報を取得し及び相関付ける、方法の改善を提供すること及びデバイスを具体化することによって満たされ、一方のデータベースは特定のアドレスに適合され、別のデータベースは人口情報または消費者情報に適合される。
【００１３】
本出願の目的を果たすために、本発明の背景技術及び本発明自体は、主として、消費者市場に関して説明されるが、問題が存在し、本発明は、類似する分野及び活動に関心のある可能性が最も高い受領者への連絡をターゲット化することを望むような当該類似する分野及び活動に有用である。
【図面の簡単な説明】
【００１４】
【図１】図１は、請求項に係る発明の方法の実施形態を示すプロセスフロー図を示す。
【図２】図２は、請求項に係る発明の方法の改善された実施形態を示すプロセスフロー図を示す。
【図３】図３は、請求項に係る発明の方法（複数可）を実施するデバイスとして役割を果たすデジタルコンピュータに関する概略図の抜粋を示す。
【発明を実施するための形態】
【００１５】
ここで、付随の図面に示される本発明のいくつかの実施形態の参照は詳細にされる。可能ならいつでも、同じまたは同様の参照数字は、図面及び説明で使用され、同じまたは同様の部分またはステップを参照する。図面は、簡略化された形式であり、正確な縮尺ではない。利便性及び明確性だけの目的のために、上部、底部、左、右、上向き、下向き、上部全体、上方、下方、下、後方、及び前方等の方向を示す用語は、図面に関して使用され得る。これらの及び同様の方向を示す用語は、任意の方式で本発明の範囲を限定するように解釈するものではない。用語「取り付ける」、「接続する」、「結合する」、及び同様の用語（それらの屈折形態素を伴うもの）は、必ずしも、直接接続または中間接続を示すものではないが、また、仲介要素または仲介デバイスによる接続を含み得る。
【００１６】
本出願の目的を果たすために、本発明のユーザは、データ、データを含有するデータベースを「取得する」、及び／またはそのデータベースにアクセスすると考えられている。データは、経時的に、ユーザに利用可能にされる、またはユーザによって求められる情報の個々の一部分を基に、そのデータをコンパイルすることによって、そのデータを商業的にレンタルまたは購入することによって、そのデータを米国国勢調査局等の非商業的供給源から取得することによって、または任意の他の合理的な方式で取得され得る。また、グローバルコンピュータネットワークまたは他の電子的手段を介して別の関係者に属するコンピュータサーバに記憶されるデータベースへのアクセスを得ることは、データベースを「取得すること」と見なされ得る。本発明の特定の実施形態は、データを集め、そのデータをデータベースに入力するステップ、及び／またはユーザもしくはいくつかの他の関係者によって既に集められたデータのデータベースへのアクセスを購入もしくはレンタルするステップを含み得る。それ以外の点では、本出願の目的を果たすために、本方法の利用に関与するユーザもしくは任意の他の関係者によって集められた情報を含有するデータベース、またはいくつかの他のソースから取得されたものの間の差異がない。
【００１７】
請求に係る発明を含む方法のいくつかのステップは、全方法の結果または有効性を変えることなく、２つ以上の順序で行われ得ることに留意されたい。当業者に既知であるように、データベースから得られた記録の比較及び／または選択の特定のステップは、任意の合理的な順序で行われ得る。また、１つのデータベースから得られた記録が選択され及び別のデータベース内の記録と比較される場合、当業者に既知であるように、最初に記録が選択された特定のデータベースは、多くの場合、比較ステップが合理的な順序で行われる限り、重要ではない。比較及び／または選択のステップが、合理的に、請求に係る発明の方法によって予期される結果をもたらす順序で行われる限り、請求に係る発明の方法のすべての重要なステップを組み込む選択ステップ及び比較ステップの任意の組み合わせは、請求に係る発明の方法と同等である。必須ではないが、請求に係る発明の方法の実行において行う必要がある比較の合計数を最小化するような方法で、記録を選択することが好ましい。ステップ毎に要求に応じて、１）アドレスに関する情報を移動させるのに要求される情報量を最小にする、２）本方法を行うために要求される処理時間の量を最小にするような方法で、記録を選択し、比較を行うことがとても好ましい。
【００１８】
請求に係る発明の方法を実施するために使用される正確なリソース及び技術に応じて、新しいデータベースまたは新しいグループの記録を生成するような本明細書に記載される選択は、既存のデータベース内の選択された記録にフラグを立て、その記録をマーキングし、またはそれ以外の場合、追跡することによって、同等に行われ得ることに留意されたい。追跡された記録は、本明細書に記載される新しいグループの記録または新しいデータベースと総じて同等である。同様に、記録を一方のデータベースから別のものに移送することを参照する場合、係る移送が元のデータベース内に記憶されるように、記録に記憶されるすべてのフィールドを含まない場合があることを理解されたい。出力データベースに、所望の出力に関するフィールドだけを移送することは自明であり、本方法の実行に必要なフィールドが移送及び／または追跡される限り、係る移送または追跡は、本発明の目的のために、全記録を移送または追跡することと同等である。
【００１９】
ここで、図１を検討に加えるが、方法１００として識別される一連のステップを含む開示された発明のプロセス及び機能の特定の実施形態を容易に理解することができる。
【００２０】
データベース作成ステップ１０２では、ユーザは、任意の合理的な手段によって、アドレス記録の記憶に関するアドレスデータベースを作成する。アドレス記録は、アドレスについての情報の個々の収集物である。各アドレス記録は少なくとも２つのフィールドを有し、各フィールドは、郵便番号に４桁のコードを加えたもの、投票区、学区等のデータの個別の一部分を含有するアドレス記録フィールドである。アドレス記録は、少なくとも、１）アドレスの物理場所情報を記憶するための１つ以上のフィールドと、２）当該アドレスに関する物理場所情報の一部ではないアドレスに関連するデータの一部分を記憶するための少なくとも１つの他のフィールドと、を含有することが要求される。本出願の目的を果たすために、アドレスの場所情報を含有するアドレス記録フィールドは、まとめて、「アドレスフィールド」または「一意の物理場所フィールド」と称するものとする。「アドレスフィールド」、「一意の物理場所フィールド」または同様のフィールドの任意の参照は、アドレスの物理場所情報を記憶する単一のアドレス記録フィールド、またはアドレスの物理場所情報を一緒に記憶する複数のアドレス記録フィールドのグループのいずれかを含むことが理解される。
【００２１】
第１の好ましい実施形態の説明では、各アドレス記録は、以下のアドレス記録フィールドを含有する。１）ＡＤＤＲＥＳＳと呼ばれる、アドレスフィールド、２）住所における建物の種類（例えば、単一の住宅、アパート、分譲マンション等）についての情報を記憶する、ＲＥＳＩＤＥＮＣＥＴＹＰＥと呼ばれる住居種類フィールド、及び３）アドレスがどの投票区にあるかについての情報を記憶する、ＶＯＴＩＮＧＤＩＳＴＲＩＣＴフィールド（「投票区」は、下院選挙区等の任意の所望の政治的単位である）が挙げられる。「投票区」及び「住居種類」は、例としてだけ使用される。アドレスフィールド以外のフィールドの実際のコンテンツは請求に係る発明の目的のために重要ではないが、少なくとも１つの係るフィールドが存在する必要があることと、データをそのフィールド内に記憶する必要があることとが要求される。また、「住居種類」フィールドは、実際の住居ではないが、小売店、倉庫、製造所、オフィス等の記号表示を含有し得る。
【００２２】
アドレス記録は、アドレスの現在または過去の居住者に関する情報を含有しないことが要求される。その理由として、この情報は、本方法に必要ではなく、無関係の情報及び余分な情報量を記憶するためのリソースの使用をもたらし、コンピュータ処理時間は無関係の情報を移送及び処理するために使用されるためである。アドレスデータベースは、ＭｙＳＱＬ（登録商標）またはＭｉｃｒｏｓｏｆｔ  Ａｃｃｅｓｓ（登録商標）データベース等のデジタルコンピュータとともに使用可能なデータベースの形式をとることがとても好ましい。
【００２３】
ＭｙＳＱＬ（登録商標）は、登録された米国商標（登録番号第２，７１３，４７６号）であり、ＭｙＳＱＬ  ＡＢによって所有される（ＭｙＳＱＬ  ＡＢは、スウェーデン国の法律の下で組織化された企業であり、住所は、Ｂａｎｇａｒｄｓｇａｔａｎ  ８  Ｕｐｐｓａｌａ  Ｓｗｅｄｅｎ、ＳＥ−７５３２０である）。
【００２４】
Ｍｉｃｒｏｓｏｆｔ  Ａｃｃｅｓｓ（登録商標）は、登録された米国商標（登録番号第１，７４１，０８６号）であり、Ｍｉｃｒｏｓｏｆｔ  Ｃｏｒｐｏｒａｔｉｏｎによって所有される（Ｍｉｃｒｏｓｏｆｔ  Ｃｏｒｐｏｒａｔｉｏｎは、米国デラウェア州の法律の下で組織化された企業であり、住所は、Ｏｎｅ  Ｍｉｃｒｏｓｏｆｔ  Ｗａｙ、Ｒｅｄｍｏｎｄ、Ｗａｓｈｉｎｇｔｏｎ、９８０５２である）。
【００２５】
非場所情報データは、仮にあった場合、変更する頻度が低い住所の物理的特性等の「ハード」特徴を含み得る。これらは、アドレスがスイミングプール、独立ガレージ、または他の構造物、もしくは暖炉等のその構造物の持続的特性を有するかどうかに関わらず、アドレスの土地／面積のようなものを含む場合がある。そのデータは、また、所望されるように、追加的に、また独占的に、頻繁に変わり得る、及び／またはアドレス、もしくはそのアドレスの任意の建造物の物理的特性に直接関連しないのいずれかである、アドレスの「ソフト」特徴を含み得る。これらは、アドレスの現在の地区、アドレスが現在割り当てられている小学校及び／または中等学校の学区、または公営住宅もしくはシニア住宅に関する使用履歴等の他の情報等のようなものを含む場合がある。
【００２６】
データ獲得ステップ１０４では、現在のアドレス記録は、物理的に情報を書き込むこと、既存データベースへのアクセスを得ること、複数の既存の記録またはデータベースを検査する構造物、または任意の他の合理的な手段のいずれかによって取得される。現在のアドレス記録は、少なくとも、１）単一のアドレスに関する場所情報と、２）当該アドレスに関する場所情報の一部ではない当該アドレスに関連するデータの少なくとも１つの他の一部分と、を含むことが要求される。データの少なくとも１つの他の一部分が、アドレス記録の少なくとも１つの他のフィールド内に記憶されるものであることが要求される。ここでは、現在のアドレス記録は、特定のアドレスの物理的住所、当該アドレスの住居種類、及び当該アドレスの投票区を含む。現在のアドレス記録は、最終的に、アドレスデータベースのフィールドと互換性があるフォーマットで、情報の３つの部分（または、しかしながら、多くの種類及びいかなる種類も実際に使用される）を含有することが要求される。
【００２７】
アドレス記録作成ステップ１０６では、新しい空白記録がアドレスデータベース内に作成される。
【００２８】
アドレス記録データ入力ステップ１０８では、現在のアドレス記録が、アドレスデータベースの新しい空白記録に記憶される。情報の各部分は、対応するアドレス記録フィールドに入力される。これは、タイピングによって、コピー及び貼り付けによって、データベース操作による挿入によって、または任意の他の合理的な入力方法によって、行われ得る。
【００２９】
継続ステップ１１０では、アドレスデータベースに追加するために、さらに多くの現在のアドレス記録があるかかどうかが判定される。これは、アドレスデータベースに入力されるより多くの現在のアドレス記録がある場合、正であり、より多くの現在のアドレス記録がない場合、偽である。正である場合、新しい現在のアドレス記録は取得され、ステップ１０４〜１１０は繰り返される。正ではない場合、本方法は、次のステップに進む。
【００３０】
既存のデータベースが購入、レンタル、または他の合理的な手段によって取得される場合、ステップ１０２〜１１０は、単一の「アドレスデータベース取得」ステップに要約され得ることに留意されたい。これが行われる場合、データベース作成ステップ１０２の説明で解説された理由のために、アドレスデータベースが各アドレスの現在または過去の居住者に関連する任意の情報を除去することを要求される。また、アドレスデータベースが少なくとも１つの非場所フィールドを含有することが要求され、従って、既存のデータベースがそのようなフィールドを含有しない場合、それは、非場所関連データが追加及び投入されることが要求される。
【００３１】
選択ステップ１１２では、１つ以上のアドレス記録は、投票区及び住居種類（または、他の非場所関連データ）の所望の組み合わせに基づいて、アドレスデータベースから選択される。例えば、第１の下院選挙区における全ての単一家族住居の選択を行うことができる。
【００３２】
メッセージ作成ステップ１１４では、メッセージは、要求された選択パラメータを満たすアドレスの居住者のために作成される。提示された例では、メッセージは、第１の下院選挙区における単一家族住居の全ての居住者のために作成される。居住者に関する識別情報が記憶されないため、係るメッセージは、「居住者」、または他の非特異的な人もしくは事業体に向けることが要求される。提示された例では、「第１の下院選挙区の住宅所有者は、議会議員によって提案された新しい法律を認知するべきである」ことは、このようなメッセージの妥当な紹介であり得る。
【００３３】
メッセージ伝達ステップ１１６では、メッセージは、選択ステップ１１２で選択されたアドレス記録に対応するアドレスに伝達される。これは、従来の大量郵送技法によって、宛名ラベルを手書きし、それを、メッセージを含むカードに貼ることによって、または任意の他の合理的な手段によって、行うことができる。
【００３４】
図２は、前述したようにアドレスデータベースを使用するための方法の延長を含む、請求に係る発明の改善された実施形態２００を示す。これは、図１のアドレスデータベースに類似するが、図２は代替の実施形態を説明し、このアドレスデータベースは、図１の前述の例のアドレスデータベースの形式またはコンテンツに実質的に類似する、または類似しない場合があることに留意されたい。
【００３５】
本方法のアドレスデータベース獲得ステップ２０２では、アドレスデータベースを取得する。限定的ではないが、図１のステップ１０２〜１１０に示されるものと同様の様式で、最初からそのデータベースを作成することを含む任意の所望の手段によって取得され得る。本実施形態では、物理アドレス以外のアドレスについてのただ１つの他のファクト（例えば、その住居種類）が要求されるが、複数の追加のファクトは、アドレス記録の一部（例えば、学区、地所サイズ、スイミングプールの存在、または任意の他の属性関連財産）であり得、結果を限定する目的に含まれ得る。全ての係るファクトは、ＡＤＤＲＥＳＳ、ＲＥＳＩＤＥＮＣＥＴＹＰＥ、及びＶＯＴＩＮＧＤＩＳＴＲＩＣＴ等の適切なアドレス記録フィールド内に記憶される。再度、アドレスデータベースは、その中に記憶されたアドレスの任意の現在または過去の居住者についての特定の情報を含有しないことが要求される。
【００３６】
消費者データベース獲得ステップ２０４では、現在の例は、消費者名、ペット、及び物理場所を含む消費者記録から成る消費者データベース（また、消費者データ記録と称される）を示し、これらの値は、前述されたものと同様の様式で取得される。値「ペット」（ＣＯＮＳＵＭＥＲＰＥＴＳ）は、ほんの一例として利用され、任意のデータ点は、任意の所望の値に関して作成され得ることに留意されたい。これらの値は、名前（この例では、ＣＯＮＳＵＭＥＲＮＡＭＥ、ＣＯＮＳＵＭＥＲＰＥＴＳ、及びＣＯＮＳＵＭＥＲＡＤＤＲＥＳＳ）を識別することで、対応する消費者記録フィールド内に記憶される。ＣＯＮＳＵＭＥＲＡＤＤＲＥＳＳは、アドレス記録データベースを比較するために利用され、アドレスの物理場所が、アドレスデータベースのＡＤＤＲＥＳＳフィールド（アドレスフィールドの説明に関して、図１参照）の中に記憶される方法と一致する及びその方法に合理的に相当する様式で、消費者の物理場所を記憶する必要があることが要求される。ＣＯＮＳＵＭＥＲＡＤＤＲＥＳＳは、消費者の物理場所を一緒に記憶する単一のフィールドまたは複数のフィールドであり得る。消費者のためのメッセージを作成するとき個人宛てメッセージが望まれる場合だけ、ＣＯＮＳＵＭＥＲＮＡＭＥは要求される。
【００３７】
アドレス記録選択ステップ２０６では、アドレス記録は、選択されたアドレスに関する所望のパラメータと一致するアドレスデータベースから選択される。例えば、単一家族住居に対応する全てのアドレス記録の選択を行うことができる。これらの選択されたアドレス記録は、新しい表もしくはデータベースに出力されることができる、または、単に、アドレスデータベースとの比較のために、記録としてマークされることができる。
【００３８】
消費者記録選択ステップ２０８では、消費者記録は、選択された消費者に関する所望のパラメータと一致する消費者データベースから選択される。例えば、犬を飼っている消費者に対応する全ての消費者記録の選択を行うことができる。これらの選択された消費者記録は、新しい表もしくはデータベースに出力されることができ、または、単に、消費者データベースとの比較のために、記録としてマークされることができる。
【００３９】
初期化ステップ２１０では、消費者データベースの最初に選択された記録は、請求に係る発明の方法の目的のために、比較される記録（すなわち、現在の比較記録）として設定される。
【００４０】
比較ステップ２１２では、現在の比較記録は、アドレス記録選択ステップ２０６から、全ての選択アドレス記録と比較される。一致が見つからない場合、本方法は進行確認ステップ２１６を継続する。
【００４１】
一致を見つけた場合、現在の比較記録は、出力ステップ２１４で、出力データベース（または、同等に、一致した消費者記録としてマークする）内でセットされる。次に、本方法は、進行確認ステップ２１６を継続する。
【００４２】
消費者データベースならびにアドレスデータベースの相対的サイズ、及びそれらのデータベースから行われた選択に応じて、本方法は、このプロセスを逆にすることが好ましい場合がある（すなわち、現在の比較記録としてアドレスデータベースの最初に選択された記録を設定して、消費者記録をそれと比較すること）に留意されたい。これは、同等の出力データベースを生成する。いくつかのデータベースプログラムは、また、単一の動作で複数のデータベースから選択する能力を有し、選択パラメータは、同時に両方に適用される。係る動作を行うことは、両方のデータベースから別個に選択し、結果を比較することと同等であり、同等の出力データベースを生成する。
【００４３】
進行確認ステップ２１６では、本方法は、比較ステップ２１２によってまだ比較していない追加の選択された消費者記録があるかどうかを確かめるために確認する。消費者記録がある場合、本方法は、次の記録選択ステップ２１８で、次の係る消費者記録を現在の比較記録として指定し、ステップ２１２〜２１６を繰り返す。消費者記録がない場合、本方法は、メッセージ作成ステップ２２０に進む。
【００４４】
メッセージ作成ステップ２２０では、メッセージは、要求された選択パラメータを満たすアドレスの居住者のために作成される。提示された例では、メッセージは、犬を飼っている単一家族住居の全ての居住者のために作成される。図１の実施形態と対照的に、図２に実証される実施形態では、現在の比較記録は、消費者データベースから分かる居住者の名前を含むように作成される。したがって、出力データベース内の消費者に送信される消費者のためのメッセージは、所望に応じて、個人向けにされ得る。
【００４５】
実際のメッセージは、メッセージ伝達ステップ２２２の前のプロセスで随時作成され得るが、全てのメッセージのパーソナライズは、出力データベースの完了の前に（すなわち、進行確認ステップ２１６が否定応答をするとき）完了できないことに留意されたい。メッセージは、各出力データベース記録が作成されるときに、または、出力データベース作成サブステップの終わりに大量に、作成及び／または個人化され得る。
【００４６】
メッセージ伝達ステップ２２２では、メッセージは、出力データベースに追加される記録に対応するアドレスに伝達される。これは、従来の大量郵送技法によって、宛名ラベルを手書きし、それを、メッセージを含むカードに貼ることによって、または任意の他の合理的な手段によって、行うことができる。
【００４７】
図３は、請求に係る発明を具体化するデバイス概略図の抜粋（具体的には、図２に説明された実施形態の改善されたもの）を示す。コンピュータ３００は、中央処理装置ＣＰＵ  ３０２、ランダムアクセスメモリＲＡＭ  ３０４、持続的記憶ハードドライブ３０６、入力デバイス３０８、出力デバイス３１０、及びネットワークデバイス３１２から成る。当業者に十分に既知であるコンピュータ３００を構成及び実装する多くの方法がある。本出願の目的を果たすために、ハードドライブ３０６は、磁気プラッタストレージユニットであると推定されるが、フラッシュＲＡＭまたは持続的記憶の任意の他の所望の手段であり得る。入力デバイス３０８は、キーボードであると推定されるが、タッチスクリーン等の任意の所望の入力デバイスであり得る、またはＣＤ−ＲＯＭドライブ及びキーボード及びマウス等の複数の入力デバイスを使用することができる。出力デバイス３１０はＬＣＤディスプレイと推定されるが、ＣＲＴディスプレイ、電子インクディスプレイ、プリンタ、または任意の他の所望の出力デバイス、もしくはそれらのデバイスの組み合わせであり得る。ネットワークデバイス３１２はイーサネット（登録商標）インターフェースと推定されるが、ワイヤレスネットワーキングインターフェース、モデム、または任意の他の所望のネットワーク接続デバイスであり得る。
【００４８】
アドレスデータベース３１４及び消費者データベース３１６は、ハードドライブ３０６に記憶される。それらのデータベースは、そのハードドライブに直接コピーされ得る、または、そのハードドライブに記憶されるデータは、入力デバイス３０８を用いて、ユーザによって入力され得る。そのデータは、また、ネットワークデバイス３１２を経由して、それに移送され得る。また、ハードドライブ３０６に記憶されるのは、プログラムファイル３２０及びメッセージ３２２である。プログラムファイル３２０及びメッセージ３２２の両方は、入力デバイス３０８によって直接入力され得る、またはネットワークデバイス３１２を含む任意の所望の手段によってハードドライブ３０６にコピーされ得る。
【００４９】
本デバイスを使用するために、ユーザは、入力デバイス３０８を通して、初期化コマンドを発行することによって、プログラムファイル３２０を初期化する。プログラムファイル３２０は、ＣＰＵ３０２によって実行する一連の命令を含む。これらの命令は、方法２００のステップを実行し、適切な場合、アドレス記録選択ステップ２０６、消費者記録選択ステップ２０８、及びメッセージ作成ステップ２２０でユーザからの入力を求める。１）全体的に無制限の入力（例えば、ユーザが完全に新規のメッセージまたは検索パラメータを入力し得るテキストボックス）、２）部分的または全体的に、固定された入力選択（例えば、全ての可能である検索パラメータを伴うポップアップメニュー、または１つ以上の半カスタマイズ可能メッセージ）、または３）これらの形式の組み合わせ、の形式でユーザに入力の要求を提示することが自明である。
【００５０】
メッセージ作成ステップ２２０の実行の終わりに、プログラムファイル３２０の命令は、当業者に十分に既知である様々な方法で、メッセージ伝達ステップ２２２を実行し得、その命令は、次に、アドレスが可視であるような窓付き封筒に挿入され得る紙にメッセージ３２２を印刷することと、封筒を郵便物に入れることと、郵便物内に入れることができるポストカードにメッセージ３２２を印刷することと、または、出力データベース３１８のコピーを出力デバイス３１０によって提供すること、または、そのコピーをネットワークデバイス３１２によって、別のコンピュータ（図示されないものであり、次に出力データベース３１８を処理しメッセージ３２２を選択された受領者に伝達することができる）に伝達することのいずれかを行うことと、を含む。
【００５１】
消費者データベース３１６が電子メールアドレスを含有する場合、郵便物によるメッセージの物理コピーを送信することに加えて、またはその代わりのいずれかで、メッセージ３２２を電子メールによってネットワークデバイス３１２を介して伝達することを随意に行う。この随意のステップが含まれる場合、メッセージ３２２が電子メールを介して送信されることができるように、出力データベース３１８が対応する電子メールアドレスを含むことが要求される。上記のように、コンピュータ３００は、別のコンピュータにネットワークデバイス３１２を介して、メッセージ自体を伝達すること、またはメッセージ及び電子メールアドレスのファイルまたはリストを送信することのいずれかを行うことができる。
【００５２】
コンピュータ３００に直接接続されない別のコンピュータまたは記憶デバイスに、アドレスデータベース３１４、消費者データベース３１６、出力データベース３１８、プログラムファイル３２０、及び／またはメッセージ３２２を記憶することは随意に行われる。これらのファイルのいずれかが別のコンピュータに記憶される場合、それらは、ネットワークデバイス３１２を経由してアクセスされる（これらのファイルのいずれかまたは全てを表し得る外部データソース３２４の参照を確認されたい）。
【００５３】
上述したように、出力データベース３１８、メッセージ３２２、またはそれら両方を他のデバイスに送信することによって、メッセージ伝達ステップ２２２を別のコンピュータまたはデバイスにオフロードし、リモートで当該ステップを行うことを随意にする。これが行われる場合、ネットワークデバイス３１２によって行われる（出力データベース３１８、メッセージ３２２、またはそれらの任意の組み合わせを表し得る外部出力ファイル３２６の参照を確認されたい）。
【００５４】
本発明の様々な実施形態及び態様は上述されているが、それらは、ほんの一例として提示されており、これに限定されるものではないことを理解されたい。したがって、本発明の範疇及び範囲は、上記の例示的実施形態のいずれによっても限定されるべきではない。
【００５５】
本出願（全体として、要約書、明細書、及び図面を組み合わせて検討される）は、本明細書に開示されるような発明を実践するために当業者に十分な情報を提供する。本発明を実践するのに必要な任意の手段は、当業者が本開示の徹底した調査を行った後、十分に当業者の技能の範囲内にある。
【００５６】
本開示のために及び本開示だけのために、本装置及び本方法の修正は、この特定の技術の当業者に明らかになり得る。係る修正は、明らかに、本開示の範囲に含まれる。
【００５７】
特許状によって保護されるべき、請求されるもの及び求められるものは以下に説明される。
【図１】
2020505660.tif 000003
【図２】
2020505660.tif 000004
【図３】
2020505660.tif 000005
【国際調査報告】
2020505660.tif 000006